(57)【要約】【課題】手袋内部の湿気を含んだ空気を効率的に排除して皮膚面を乾燥状態に維持することができ、その指紋認証時における信頼性と作業性に優れるとともに、手袋をはめたままでのキー入力作業などを快適かつ正確に行うことのできる作業用手袋を提供する。【解決手段】手袋本体１０ａの外側表面に配置される防水層１１と、防水層１１の内側に配置される伸縮補強層１２と、内側表面に配置され湿潤空気をその層内に沿って移動させる通気層１３と、通気層１１に連設され湿潤空気を前記手袋本体から外部に排出する排気部１４と、を備えるように作業用手袋１０を構成する。【選択図】  図１
2007126761.tif 000002
【特許請求の範囲】
【請求項１】
手袋本体の外側表面に配置される防水層と、前記防水層の内側に配置される伸縮補強層と、内側表面に配置され湿潤空気をその層内に沿って移動させる通気層と、前記通気層に連設され湿潤空気を前記手袋本体から外部に排出する排気部と、を備えたことを特徴とする作業用手袋。
【請求項２】
前記通気層の内側に皮膚のケアを促進するクリームの含有空間を有した皮膚ケア層が配置されていることを特徴とする請求項１記載の作業用手袋。
【請求項３】
前記手袋本体の個人認証用部位が透明素材により窓状に開口して形成され、前記手袋本体を装着したままその個人認証が可能になっていることを特徴とする請求項１又は２記載の作業用手袋。
【発明の詳細な説明】
【技術分野】
【０００１】
本発明は事務処理や水仕事などに際して作業者の皮膚の損傷を防御してその作業者の指紋や掌紋、静脈パターンなどによる個人認証の信頼性を確保できる作業用手袋に関する。
【背景技術】
【０００２】
従来、合成樹脂製などの作業用手袋は医療用や家庭用あるいは高度な防塵性を要する工場等において幅広く使用されている。このような作業用手袋は伸縮性に富み、薄いことから手に密着して精緻な作業が容易であり、また防水性であることから汚染や薬害を防ぎ、あるいは手の荒れを防ぐ等の効果が大きいものであった。しかし、作業用手袋の素材が薄く手に密着することから着脱が容易ではなく、通気性がないことから手袋の中がむれやすく手に汗で張りついてしまうという欠点を有していた。
さらに、屋外の市場や仕事場などの現場作業においては、その水作業中に水がかかったり雨が降ることも少なくなく、そのような時には、手袋をはめたままでのキーボードへのキー入力などに際して滑って支障を生じたり、手指が荒れてしまい手袋を外しての指紋や掌紋などによる個人認証を行う際の信頼性が損ねられたりするという難点があった。このような作業用手袋の欠点を解消する技術に関連して、例えば以下のようなものが知られている。
【０００３】
特許文献１には、外側シェルに脱着自在に裏地が挿入されている手袋において、裏地が防水性と通気性のある素材で構成される手袋が記載されている。
【０００４】
特許文献２には、軟革製手袋の掌面に滑止用通気性合成樹脂皮膜が形成され、甲側面にはシリコン樹脂防水皮膜が形成され、前記滑止用通気性合成樹脂皮膜は、細条の複数を定間隔の通気間隙をおいて、多数並列させるようにしたゴルフ用手袋が記載されている。
【０００５】
特許文献３には、防水手袋内部への通気手段を有し、通気手段の開始部を手の挿入用開口部付近か防水手袋内部に配した防水手袋が記載され、前記通気手段となる配置物を紐状体・パイプ状体・突起物・通気性発泡素材とした防水手袋が開示されている。
【特許文献１】特開平７−３２４２１０号公報
【特許文献２】特開２００３−２２５３３８号公報
【特許文献３】特開２００４−３６０６０号公報
【発明の開示】
【発明が解決しようとする課題】
【０００６】
しかしながら、前記特許文献に記載の従来の技術のものは以下のような課題があった。
特許文献１に記載のその裏地が防水性と通気性のある素材で構成された手袋は、通気性のある素材にシェル内部の湿気を含んだ空気が滞留した状態で維持されるので、手の皮膚が荒れ易く、指紋認証の精度が低くなる上に、その手袋の着脱が迅速にできず、現場などでの指紋認証を含む入力作業の効率が低下し易いという問題があった。
【０００７】
特許文献２に記載のその掌面に滑止用通気性合成樹脂皮膜を形成して、甲側面に防水皮膜を形成したゴルフ用手袋では、その甲側から発汗による湿気が効率的に排除できないので、ドライ感に乏しく快適な作業ができにくいとう課題があった。
【０００８】
特許文献３に記載の手袋内部への通気手段を有した防水手袋では、空気が流出入する空間として紐状体・パイプ状体・突起物・通気性発泡素材などを配置するので、これらによって手指の部分が拘束され、手袋をはめたままでのキー入力作業などが正確かつ迅速にできないという課題があった。
【０００９】
本発明は前記従来の課題を解決するためになされたもので、手袋内部の湿気を含んだ空気を効率的に排除して皮膚面を乾燥状態に維持することができ、その指紋認証時における信頼性と作業性に優れるとともに、手袋をはめたままでのキー入力作業などを快適かつ正確に行うことのできる作業用手袋を提供することを目的とする。
【課題を解決するための手段】
【００１０】
（１）前記従来の課題を解決するためになされた本発明の作業用手袋は、手袋本体の外側表面に配置される防水層と、前記防水層の内側に配置される伸縮補強層と、内側表面に配置され湿潤空気をその層内に沿って移動させる通気層と、前記通気層に連設され湿潤空気を前記手袋本体から外部に排出する排気部と、を備えて構成される。
【００１１】
（２）本発明の作業用手袋は、前記（１）において、前記通気層の内側に皮膚のケアを促進するクリームの含有空間を有した皮膚ケア層が配置されていることにも特徴を有している。
【００１２】
（３）本発明の作業用手袋は、前記（１）又は（２）において、前記手袋本体の個人認証用部位が透明素材により窓状に開口して形成され、前記手袋本体を装着したままその個人認証が可能になっていることにも特徴を有している。
【発明の効果】
【００１３】
本発明によれば、防水層の内側に配置される伸縮補強層を有し、その内側表面に配置される通気層に連設され湿潤空気を手袋本体から外部に排出する排気部を備えているので、その皮膚面を乾燥状態に維持することができ、その指紋認証時における信頼性に優れた作業用手袋を提供することができる。また、手袋をはめたままでのキー入力作業などを快適かつ正確に行うことができる。
【発明を実施するための最良の形態】
【００１４】
本実施形態の作業用手袋は、手袋本体の外側表面に配置される防水層と、前記防水層の内側に配置される伸縮補強層と、内側表面に配置され湿潤空気をその層内に沿って移動させる通気層と、前記通気層に連設され湿潤空気を前記手袋本体から外部に排出する排気部と、を備えて構成されている。これによって、手袋内部の湿気を含んだ空気を効率的に外部に排除することができるので、装着された手の皮膚面を乾燥状態に維持することができ、手袋をはめたときの指先や掌面などの個人認証部位が荒れるのを防止できる。こうして、その指紋認証時における信頼性と作業性に優れるとともに、手袋をはめたままでのキー入力作業などを快適かつ正確に行うことができる。
【００１５】
防水層となる素材としては、例えば、ポリエステル、ポリプロピレン、アクリルなどのような合成樹脂やゴムなどからなるシート状のものが適用できる。
伸縮補強層としては、例えば、合成樹脂繊維からなる織布や不織布状のものが適用でき、所定の伸縮性と補強強度を付与することができるようになっている。
通気層は、その繊維間や粒子間の隙間に所定の空気流路が層状に形成されるシート状の織布などの素材であって、前記防水層の内側に配置される伸縮補強層に連設されるとともに、作業用手袋に挿入される作業者の手に直接接する部分である。
排気部は、作業用手袋の所定位置に設けられた防水層表面に開口した部分であり、前記通気層に接続して、通気層から流れる湿潤空気を外部に排出することができるようになっている。
【００１６】
本実施形態の作業用手袋は、前記通気層の内側に皮膚のケアを促進するクリームの含有空間を有した皮膚ケア層を配置することもできる。これによって、常時ハンドクリーム等を塗ってケアしたり、トイレの都度塗りなおしたり必要がなく、皮膚病などを治療する際にも利用が可能である。また、最近、生態認証のＰＣ等が増えてきており、このような指紋認証に際しては指紋にひびや傷があると、認識率が極端に悪くなり作業に支障がでるケースもあるが、認証部位の肌荒れ等で認識率が落ちるのを効果的に防止することができる。
皮膚ケア層は、通気層の内側に設けられクリームや薬剤などを保持するための充填空間を有した繊布状や不織布状の部分であって、皮膚病などに対する有効成分を皮膚に接触させることでその薬効を発揮することができるようになっている。
【００１７】
本実施形態の作業用手袋は、前記手袋本体の個人認証用部位が透明素材により窓状に開口して形成され、前記手袋本体を装着したままその個人認証を可能にすることもできる。これによって、作業用手袋を装着したままで、個人認証ができ、水仕事中や野外における雨天作業中などでもキーボードなどへの入力作業を迅速かつセキュリティの高い状態で行うことができる。
【００１８】
（実施例１）
図１は実施例１に係る作業用手袋の説明図である。
図１において、１０は実施例１の作業用手袋、１１は手袋本体１０ａの外側表面に配置されるシリコンなどの合成樹脂シートやゴムシートなどからなる防水層、１２は防水層１１の内側に配置された伸縮性の合成繊維織布からなる伸縮補強層、１３は伸縮補強層１２の内側に配置され湿潤空気をその層内に沿って移動させるため連通孔や繊維間の空隙からなる流路を有した通気層、１４は通気層１３に連設され手袋本体１０ａの所定部位に開口して設けられた排気部である。
作業用手袋１０は、その最外殻の防水層１１が軟質の防水性素材からなる。この手袋の手首部分を所定長さで折返し、折り目に沿って縫製してある。防水層となる性素材としては、合成ゴムやポリ塩化ビニ−ル等を用いて、その裏面に伸縮補強層１２を積層させ、さらにフロッキ−加工などで起毛したものや純綿メリヤスを接合したもの等も通気層１３として適用できる。
【００１９】
手袋本体１０ａにおける手首部分などの所定箇所には、通気部１３に連接された排気部１４が複数配列されており、手袋内部の汗などの湿分を含む空気が排出され、内部をドライ状態に維持できるようになっている。
また、腕まで水に入れるような作業においては、作業用手袋の使用では腕の部分がぬれるので、防水性のある腕カバ−などを作業用手袋に一体に接続したものを用いることもできる。こうして、軟質防水性素材からなり裾が拡大しているような作業用手袋を手首で所定長さに折返し、裏返した防水性のある繊維生地からなる腕カバ−の端縁を重ね、折り目に沿い縫製してから表に返し、腕カバ−の上端にゴム紐やゴムテープなどを回してずり落ちないようにする。
【００２０】
こうして、通気性のある素材とシリコン等の滑りにくい素材との組み合わせによって、作業者の手を快適に保護することができる。そして、指紋認証は指紋にひびや傷があると、認識率が極端に悪くなり作業に支障がでるケースもあるが、スキャナーを介して指紋や掌紋などのデータをＰＣなどに取り込んで個人認証を行う際に、その認証部分が肌荒れ等で認識率が落ちるのを防止できる。
なお、作業用手袋１０は手袋を装着したままでキーボードをタイプするなどの事務処理や水仕事などができるように、薄手で柔軟性に富む素材とすること。その色調は目立たない肌色として男女の区別なく使用できること。その装着時におけるフィット感を重視するために繊維の織り方を工夫し、伸縮性を高くすることなどが望まれる。
【００２１】
（実施例２）
図２は実施例２に係る作業用手袋の説明図である。
図２において、２０は実施例２の作業用手袋、２１は手袋本体２０ａの外側表面に配置されるシリコン樹脂シートやゴムシートなどからなる防水層、２２は防水層２１の内側に配置された伸縮性の合成繊維織布からなる伸縮補強層、２３は伸縮補強層２２の内側に配置され湿潤空気をその層内に沿って移動させるため繊維間の空隙流路を有した通気層、２４は通気層２３に連設され手袋本体２０ａの手首部に帯状に設けられた排気部、２５はハンドクリームなどを含有する空間を有したガーゼ状の不織布などからなる皮膚ケア層、２６は手袋本体２０ａの指先に配置され柔軟なビニル樹脂やアクリル樹脂などの透明素材により透視可能に窓状に形成された手袋本体の個人認証用部位である。
【００２２】
皮膚ケア層２５は、手袋本体２０ａの掌面や手先部の所定箇所に設けらており、手袋本体２０ａの表裏を反転させて裏返したり、手袋本体２０ａの側縁に沿って設けた図示しないファスナーなどを開いたりすることで、ハンドクリームや皮膚病などの薬効成分を保持させることができるようになっている。
また、作業者の皮膚に接する皮膚ケア層２５には、抗菌成分や消臭成分、芳香成分などを含む通気性素材で構成して、その使用環境での事務処理などを衛生的かつ快適に行えるようにすることもできる。なお、防水層２１の表面には、必要に応じて滑り止めのための凹凸を設けておくことができ、キーボードなどへのキー入力を容易にするようにしてもよい。
【００２３】
個人認証用部位２６には、人指し指などの指紋がスキャナーなどを介して作業用手袋２０を装着したままで読み取れるように透明素材が配置される。なお、個人認証用部位は、その他の指先や掌面の静脈パターンによる認証などの場合に応じて、その所定箇所に設けることができる。また、作業用手袋２０に作業者の個人認証用データを保持するＩＣタグなどを予め取り付けておき、個人認証用部位２６からスキャナーを介して取得される指紋データとＩＣタグから取得される認証用データとを照合することで、個人認証時におけるセキュリティをさらに厳格に運用することも可能である。
【００２４】
作業用手袋２０の製造においては、例えば、離形剤を表面に塗布してある離形紙の表面に合成樹脂を吹きつけたり、塗着したりするなどの方法で付着させて皮膜を形成し、該皮膜が硬化しないうちに一定の間隔おきに線状に掻取って通気間隙を形成して、通気層を形成することもできる。このような通気層の厚みは２５μ〜０．３ミリ程度で、厚くなると手の感触が悪くなり、薄過ぎると磨耗が早くなる。また通気間隙の幅は、１００μ〜０．５ミリ程度で可及的に狭い方が良い。前記工程の後、速やかに防水層に積層された伸縮補強層２２の上に重合して加圧して、伸縮補強層２２に離形紙上の通気層となるの被膜を転写して掌材が形成される。この掌材を掌面形に裁断したものを縫製して作業用手袋２０とすることができる。
【００２５】
実施例２の作業用手袋２０は以上のように構成されているので、事務用や医療用あるいは高度な防塵性を要する工場等に於いて幅広く使用することができる。すなわち、作業用手袋２０は、伸縮性に富み、しかも薄く製造できることからキー入力などの精緻な作業が容易である。さらに作業用手袋２０が防水性と通気性、皮膚ケア性を備えていることから汚染や薬害を防ぎ、あるいは手の荒れを防ぐことができる。したがって、作業者の個人認証における指紋や掌紋などのデータ採取の際に、データを確実かつ取得することができ、屋外などにおける事務処理作業におけるセキュリティの強化と効率化を図ることができる。
【００２６】
本発明の作業用手袋は、防水層及び伸縮補強層の内側面に配置される通気層を介して湿潤空気を手袋本体から外部に排出して、その皮膚面を乾燥状態に維持することを要旨とするものであり、これに該当するものは本発明の権利範囲に属する。例えば本実施例では、排気部を手首付近に配置するようにしたが、手の甲部分や側端部に沿って複数配列することもできる。また、個人認証用部位を手の甲部分に開口するように透明素材を設けておき、作業者の手甲部の静脈パターンをスキャナーなどで読み取って、このデータによって個人認証を行うようにすること可能である。
【図面の簡単な説明】
【００２７】
【図１】実施例１の作業用手袋の斜視図である。
【図２】実施例２の作業用手袋の斜視図である。
【符号の説明】
【００２８】
１０  実施例１の作業用手袋
１１  通気層
１２  伸縮補強層
１３  通気層
１４  排気部
２０  実施例２の作業用手袋
２１  通気層
２２  伸縮補強層
２３  通気層
２４  排気部
２５  皮膚ケア層
２６  個人認証用部位
【図１】
2007126761.tif 000003
【図２】
2007126761.tif 000004